(57)【要約】  【課題】  ユーザが表示部３００に表示される情報を視認しやすいこと。  【解決手段】  携帯電子機器１０は、ユーザが、携帯電子機器１０を操作するための入力を行う操作部１００と、ユーザに提示すべき情報を表示する表示部３００と、表示部３００の端部を、操作部１００の操作面１１０と略平行であり、かつ、操作面１１０における上下方向に対して略４５°の方向に組み付けると共に、表示部３００が、端部を回転中心として、操作部１００の操作面１１０に重なる位置から一方向に回動できるように保持する回動保持部と、を備える。【選択図】  図１
2005071248.tif 000002
【特許請求の範囲】
【請求項１】
携帯電子機器であって、
ユーザが、前記携帯電子機器を操作するための入力を行う操作部と、
ユーザに提示すべき情報を表示する表示部と、
前記表示部の端部を、前記操作部の操作面と略平行であり、かつ、当該操作面における上下方向に対して略４５°の方向に組み付けると共に、前記表示部が、前記端部を回転中心として、前記操作部の前記操作面に重なる位置から一方向に回動できるように保持する回動保持部と、を備えることを特徴とする携帯電子機器。
【請求項２】
前記回動保持部は、前記操作部の端部又は前記表示部の端部の一方に組み付けられた軸と、前記操作部の端部又は前記表示部の端部の他方に形成され、前記軸を受ける軸受けと、を有することを特徴とする請求項１に記載の携帯電子機器。
【請求項３】
前記操作部は、前記操作部の操作面における上下方向に長く、
前記表示部は、
前記操作部と重なる状態で、前記操作部の操作面における上下方向に長く、
当該表示部が前記操作部に重なる位置から回動して前記操作部と略同一平面上まで開いたときに、長手方向が、前記操作部の操作面における上下方向に対して略直角となることを特徴とする請求項２に記載の携帯電子機器。
【請求項４】
前記回動保持部は、前記操作部の左上端部又は右上端部に組み付けられていることを特徴とする請求項１に記載の携帯電子機器。
【請求項５】
前記操作部の前記左上端部又は前記右上端部のうちの前記回動保持部を有する方の側面は、前記操作部の操作面における上下方向に対して略４５°であり、
前記操作部の前記右上端部又は前記左上端部のうちの前記回動保持部を有しない方の側面は、当該携帯電子機器が外部と接続するためのコネクタを有することを特徴とする請求項４に記載の携帯電子機器。
【請求項６】
前記表示部は、前記操作部と略同一平面上まで開いた状態において、前記長手方向に沿って横書きに文字情報を表示することを特徴とする請求項３に記載の携帯電子機器。
【発明の詳細な説明】
【技術分野】
【０００１】
本発明は、携帯電子機器に関する。特に本発明は、小型であり、かつ表示画面を見やすくした携帯電子機器に関する。
【背景技術】
【０００２】
従来、折畳式の携帯電子機器がある。この折畳式の携帯電子機器は、薄型の直方体である表示部を、薄型の直方体である操作部に、回動できるように組み付けている。そして、互いに重ね合わせたり、開いたりすることができるようにして、表示画面の大きさの確保と、小型化を両立している（例えば、非特許文献１参照）。
【０００３】
【非特許文献１】「ケータイ世界制覇  第４部  端末／部品」，日経エレクトロニクス，日経ＢＰ社、２００１年１月１５日、ｐ．１３８。
【発明の開示】
【発明が解決しようとする課題】
【０００４】
従来の携帯電子機器において、表示部の回動軸は、操作部の操作面と略平行であり、かつ、操作部の長手方向上端に、上端面に略平行である。すなわち、表示部が操作部に重なる位置から回動して、操作部と略同一平面上まで開いた場合、表示部の長手方向は、操作部の長手方向と略一致する。
【０００５】
この場合、表示部に表示される情報は、視認されにくくなることがある。例えば、表示部に横書きの文字情報が表示される場合、一行あたりの文字情報は少なく、かつ、文字情報における改行数は多い。このため、表示部に表示される文字情報は読みにくい。特に近年は、文字情報は、横書きで表示される場合が多い。
【課題を解決するための手段】
【０００６】
本発明の第１の形態によると、ユーザが、携帯電子機器を操作するための入力を行う操作部と、ユーザに提示すべき情報を表示する表示部と、表示部の端部を、操作部の操作面と略平行であり、かつ、操作面における上下方向に対して略４５°の方向に組み付けると共に、表示部が、端部を回転中心として、操作部の操作面に重なる位置から一方向に回動できるように保持する回動保持部と、を備える。
【０００７】
回動保持部は、操作部の端部又は表示部の端部の一方に組み付けられた軸と、操作部の端部又は表示部の端部の他方に形成され、軸を受ける軸受けと、を有してもよい。操作部は、操作部の操作面における上下方向に長く、表示部は、操作部と重なる状態で、操作部の操作面における上下方向に長く、表示部が操作部に重なる位置から回動して操作部と略同一平面上まで開いたときに、長手方向が、操作部の操作面における上下方向に対して略直角となってもよい。
【０００８】
回動保持部は、操作部の左上端部又は右上端部に組み付けられていてもよい。操作部の左上端部又は右上端部のうちの回動保持部を有する方の側面は、操作部の操作面における上下方向に対して略４５°であり、操作部の右上端部又は左上端部のうちの回動保持部を有しない方の側面は、携帯電子機器が外部と接続するためのコネクタを有してもよい。
【０００９】
表示部は、操作部と略同一平面上まで開いた状態において、長手方向に沿って横書きに文字情報を表示してもよい。
【００１０】
なお、上記の発明の概要は、本発明の必要な特徴の全てを列挙したものではなく、これらの特徴群のサブコンビネーションもまた、発明となりうる。
【発明を実施するための最良の形態】
【００１１】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【実施例】
【００１２】
図１は、本発明の実施形態に係る折畳式の携帯電子機器１０を開いた状態を示す正面図である。
【００１３】
携帯電子機器１０は、複数の音楽を記憶しており、利用者の指示に従って音楽を再生する。携帯電子機器１０は、ユーザが携帯電子機器１０を操作するための入力を行う操作部１００、及び文字情報や画像情報を表示する表示部３００を備える。
【００１４】
操作部１００は、操作面１１０を有する。操作面１１０は、上部が上に行くにつれて先細りとなる略五角形状であり、左右方向に細長いスイッチ１２０を含む複数のスイッチを有する。
【００１５】
操作部１００の平面形状は、操作面１１０側から見て、上下方向に細長く、かつ上部は上に向かって先細りとなっている。この先細りの部分の、操作面１１０側から見て左側の側面である左側面１１２は、操作面１１０の上下方向に対して各々略４５°の角度を有する。また、先細りの部分の、操作面１１０側から見て右側の側面である右側面１１４は、操作面１１０の上下方向に対して略４５°の角度を有する。
操作部１００は、携帯電子機器１０を制御するための制御基板を内蔵する。この制御基板は、表示部３００に表示される文字情報や画像情報を制御する表示制御部を含む。
【００１６】
また、操作部１００は、表示部３００を操作部１００に回動できるように組み付けるための軸２００を有する。軸２００は、操作部１００の左側面１１２近傍すなわち左上端部に組み付けられている。軸２００は、操作面１１０と略平行であり、かつ、操作面１１０の上下方向に対して略４５°である。
【００１７】
表示部３００は、操作面１１０と概略同じ平面形状に厚みを持たした形状であり、長方形状の表示パネル３１０を有する。表示パネル３１０は、操作部１００からの入力に基づき、表示パネル３１０の長手方向に沿った横書きの文字情報や画像情報を表示する。
【００１８】
また、表示部３００の先細り部分は、表示パネル３１０側から見て、表示パネル３１０の表示時における上下方向に対して右側に位置する。表示部３００は、この先細り部分の下側すなわち右下の端部に、軸２００を受ける軸受け２１０を有する。軸受け２１０は、表示パネル３１０と略平行であり、表示部３００の長手方向に対して略４５°である。軸２００及び軸受け２１０は、回動保持部の一例である。
なお、軸２００は、表示部３００の右下の端部に組み付けられてもよく、軸受け２１０は、操作部１００の左上端部に設けられてもよい。
【００１９】
このような構成のもと、表示部３００は、携帯電子機器１０の不使用時には、表示パネル３１０が操作面１１０に面する状態で、操作部１００に重なる。
また、携帯電子機器１０の使用時において、表示部３００は、操作部１００と略同一平面に開かれる。軸２００は、操作面１１０の上下方向に対して略４５°であり、軸受け２１０は、表示部３００の長手方向に対して略４５°である。従って、開いた後の表示部３００は、長手方向が、操作面１１０の上下方向に対して略直角となる。そして、表示パネル３１０は、横書きの文字情報を表示する場合、文字の行方向は、操作面１１０の上下方向と略直角、すなわち表示パネルの長手方向になる。従って、一行あたりの文字情報は多くなり、かつ文字情報における改行は少なくなる。
【００２０】
また、軸２００が、操作部１００の左上端部に設けられ、軸受け２１０が、表示パネル３１０側から見て、表示パネル３１０の上下方向に対して右下の端部に設けられているため、表示部３００は、操作部１００と略同一平面上まで開いたときに、操作面１１０の上下方向に対して左側に位置する。
【００２１】
以上のように、携帯電子機器１０の操作部１００は、操作面１１０の上下方向を長手方向とするため、ユーザは操作部１００を片手で握りやすい。また、横書きの文字情報を表示する場合、一行あたりの文字情報は多くなり、かつ文字情報における改行は少なくなる。
【００２２】
したがって、操作部１００の保持しやすさと、表示パネル３１０に表示される文字情報の読みやすさとが、両立する。
【００２３】
また、表示部３００は、操作部１００と略同一平面上まで開いたときに、操作面１１０の上下方向に対して左側に位置する。これにより、ユーザが左手で携帯電子機器１０を保持し、右手で操作面１１０を操作する場合に、右手は表示部３００と重なりにくくなる。したがって、ユーザが操作部１００を操作する時に、表示部３００の視認性は低下しなくなる。
【００２４】
図２は、携帯電子機器１０において、表示部３００を操作部１００に重ねた時の正面図である。図３は、携帯電子機器１０において、表示部３００を操作部１００に重ねた時の右側面図である。図４は、携帯電子機器１０において、表示部３００を操作部１００に重ねた時の上面図である。図５は、携帯電子機器１０において、表示部３００を操作部１００に重ねた時の底面図である。
【００２５】
表示部３００が操作部１００と重なる状態において、図２に示すように、表示部３００の長手方向は、操作面１１０の上下方向と一致する。また、図３、図４及び図５に示すように、表示部３００の外縁は、操作面１１０の外縁と略一致する。また、表示部３００の外縁は、操作部１００の外縁よりも小さい。したがって、表示部３００が操作部１００と重なるように折り畳まれると、表示部３００は、平面形状においては操作部１００の中に含まれる。
従って、携帯電子機器１０は、折り畳まれることで小さくなる。
【００２６】
また、操作部１００は、操作面１１０の外側の領域に、外側下方に向けて傾斜する操作部側傾斜面１３２を有する。一方、表示部３００は、表示パネル３１０と反対の面に、外側下方に向けて傾斜する表示部側傾斜面３２０を有する。表示部側傾斜面３２０の傾斜角度は、操作部側傾斜面１３２の傾斜角度と略等しい。
表示部３００が操作部１００に重なる状態において、操作部側傾斜面１３２の内縁と表示部側傾斜面３２０の外縁は近接する。従って、表示部３００が操作部１００と重なる状態において、操作部側傾斜面１３２と表示部側傾斜面３２０は略面一となる。このため、表示部３００の外縁は、他の物にかかりにくくなる。
【００２７】
また、図３及び図４に示すように、右側面１１４は、コネクタ１６０を有する。コネクタ１６０は、各々雌型の端子である第１端子１６２、第２端子１６４、及び第３端子１６６を含む。また、右側面１１４の下端近傍には、側面スイッチ１７０が配される。
【００２８】
第１端子１６２、第２端子１６４、及び第３端子１６６は、各々操作部１００の内部に向かって左側面１１２と略平行に延伸する。そして、これらの端子は、携帯電子機器１０と外部の機器の間で信号の伝送を行うための雄型の接続端子に接続する。
【００２９】
ここで、コネクタ１６０は、操作部１００の上下方向に対して略４５°傾いている。従って、ユーザは、雄型の接続端子をコネクタ１６０の各端子に差し込むとき、差込方向に力を加えやすくなる。
【００３０】
図６は、携帯電子機器１０の変形例の正面図である。本変形例は、図１乃至図５に示した携帯電子機器１０に対し、左右対称の形状を有する。
【００３１】
この場合、表示部３００は、操作部１００と略同一平面上まで開いたときに、操作面１１０の上下方向に対して右側に位置する。これにより、ユーザが右手で携帯電子機器１０を保持し、左手で操作面１１０を操作する場合に、左手が表示部３００と重なりにくくなる。したがって、ユーザが操作部１００を操作する時に、表示部３００の視認性は低下しなくなる。
【００３２】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。
【図面の簡単な説明】
【００３３】
【図１】本発明の実施形態に係る携帯電子機器１０を開いた状態を示す正面図である。
【図２】携帯電子機器１０の、表示部３００を操作部１００に重ねた時の正面図である。
【図３】携帯電子機器１０の、表示部３００を操作部１００に重ねた時の右側面図である。
【図４】携帯電子機器１０の、表示部３００を操作部１００に重ねた時の上面図である。
【図５】携帯電子機器１０の、表示部３００を操作部１００に重ねた時の底面図である。
【図６】携帯電子機器１０の変形例の正面図である。
【符号の説明】
【００３４】
１０…携帯電子機器、１００…操作部、１１０…操作面、１１２……左側面、１１４…右側面、１２０…スイッチ、１３２…操作部側傾斜面、１６０…コネクタ、１６２…第１端子、１６４…第２端子、１６６…第３端子、１７０…側面スイッチ、２００…軸、２１０…軸受け、３００…表示部、３１０…表示パネル、３２０…表示部側傾斜面
【図１】
2005071248.tif 000003
【図２】
2005071248.tif 000004
【図３】
2005071248.tif 000005
【図４】
2005071248.tif 000006
【図５】
2005071248.tif 000007
【図６】
2005071248.tif 000008